(57)【要約】      （修正有）【課題】選択放電のためのアドレス期間で生じるおそれのある誤放電を回避するプラズマディスプレイパネルの駆動方法を提供する。【解決手段】プラズマディスプレイパネルの映像信号の１フィールドの表示期間を複数のサブフィールドで構成すると共に、該１フィールドの表示期間内における先頭のサブフィールドのアドレス期間に先立ってリセット期間を設けて階調表示を行うプラズマディスプレイパネルの駆動方法であり、１フィールド前の該映像信号に応じてプラズマディスプレイパネルの発光負荷状態を検出する発光負荷状態検出行程と、該リセット期間において、時間経過に従って印加電圧値が増大し所定の到達電位に到達する第１極性のパルスを該第１行電極に印加する第１行程と、を有し、該第１行程は該発光負荷状態に応じて該第１極性パルスの到達電位を制御する行程を含む。【選択図】図４
2007328036.tif 000002
【特許請求の範囲】
【請求項１】
各々が対をなす第１行電極及び第２行電極からなる複数の行電極対と、前記行電極対に交差して配列された複数の列電極とを備え、前記行電極対と前記列電極との各交差部位に表示セルが形成されたプラズマディスプレイパネルを、映像信号の１フィールドの表示期間を複数のサブフィールドで構成すると共に前記１フィールドの表示期間内における先頭のサブフィールドのアドレス期間に先立ってリセット期間を設けて階調表示を行うプラズマディスプレイパネルの駆動方法であって、
１フィールド前の前記映像信号に応じてプラズマディスプレイパネルの発光負荷状態を検出する発光負荷状態検出行程と、
前記リセット期間において、時間経過に従って印加電圧値が増大し所定の到達電位に到達する第１極性のパルスを前記第１行電極に印加する第１行程と、を有し、
前記第１行程は前記発光負荷状態に応じて前記第１極性パルスの到達電位を制御する行程を含むことを特徴とするプラズマディスプレイパネルの駆動方法。
【請求項２】
前記リセット期間において、前記第１行程に先立って時間経過に従って印加電圧値が増大する前記第１極性とは逆極性となる第２極性のパルスを前記第１行電極に印加する第２行程をさらに含むことを特徴とする請求項１記載のプラズマディスプレイパネルの駆動方法。
【請求項３】
前記第１極性パルスの到達電位を制御する行程は、前記第１極性パルスの印加時間長を調整する行程を含むことを特徴とする請求項１記載のプラズマディスプレイパネルの駆動方法。
【請求項４】
前記第１極性パルスの到達電位を制御する行程は、発光負荷数が所定値に比して多い発光負荷状態である場合には、前記第１極性のパルスの印加時間長を長くし、発光負荷数が所定値に比して少ない発光負荷状態である場合には、前記第１極性のパルスの印加時間長を長くする行程を含むことを特徴とする請求項１記載のプラズマディスプレイパネルの駆動方法。
【請求項５】
前記アドレス期間において、前記第１極性の非選択電位に前記第１極性の選択電位が重畳された走査パルスを前記第１行電極に印加すると共に前記映像信号に応じた画素データパルスを列電極に印加する行程を更に含むことを特徴とする請求項１記載のプラズマディスプレイパネルの駆動方法。
【請求項６】
前記第１極性のパルスは、前記アドレス期間における前記第１行電極の選択電位と非選択電位との間の前記所定の到達電位に到達することを特徴とする請求項５記載のプラズマディスプレイパネルの駆動方法。
【請求項７】
発光負荷状態検出行程は、前記発光負荷状態を、前記映像信号の輝度ヒストグラムから検知することを特徴とする請求項１または３記載のプラズマディスプレイパネルの駆動方法。
【請求項８】
発光負荷状態検出行程は、前記発光負荷状態を、前記映像信号の平均輝度レベから検知することを特徴とする請求項１または３記載のプラズマディスプレイパネルの駆動方法。
【発明の詳細な説明】
【技術分野】
【０００１】
本発明は、本発明は、容量性発光素子等の表示セルがマトリクス状に配列されているプラズマディスプレイパネルを駆動するプラズマディスプレイパネルの駆動方法に関する。
【背景技術】
【０００２】
特許文献１には公知のプラズマディスプレイパネルの駆動方法が開示されている。図１は、特許文献１に開示された駆動波形を示している。本図は、奇数ラインの表示を行う第１フィールド中の任意のサブフィールドにおけるアドレス電極、並びにＸ１電極、Ｙ１電極、Ｘ２電極及びＹ２電極を含む維持放電電極の各々の波形を示している。各波形の期間は、リセット期間，アドレス期間および維持放電期間からなる。開示の記載を一部引用して以下説明する。
【０００３】
リセット期間においては、アドレス電極を０Ｖとした上で、維持放電電極に正極性と負極性のパルスが印加される。すなわち、Ｘ電極に電圧−Ｖｗｘからなるパルスが印加されると共に、Ｙ電極には電圧Ｖｗｙからなるパルスが印加される。この際Ｙ電極に印加されるパルスは、単位時間あたりの電圧変化量が変化しつつ電圧Ｖｗｙに達する鈍りパルスである。これによってＸ電極とＹ電極間には微弱な第１の放電が行なわれる。鈍りパルスを用いることにより、印加電圧が放電セルごとの放電開始電圧Ｖｆを越えた時点で各放電セルが放電を開始するため、生じる放電は微弱なものにしかならず、形成される壁電荷の量も僅かなものとなる。この結果、ある放電セルにおけるリセット放電が先行したとしても、隣接する放電セルに影響を与えることはない。また放電が微弱なため、背景発光も小さくなる。
【０００４】
次に、Ｘ電極に電圧Ｖｅｘからなるパルスが印加されると共に、Ｙ電極には電圧−Ｖｅｙからなるパルスが印加される。この際Ｙ電極に印加されるパルスは、単位時間あたりの電圧変化量が変化しつつ電圧−Ｖｅｙに達する鈍りパルスである。これにより、第２の放電が起こり、直前の放電によって形成された壁電荷が消去される。Ｖｅｘ＋Ｖｅｙの電圧印加により強制的な放電が生じるため、消去放電が確実に実施できる。
【０００５】
次に、アドレス期間において、順次Ｙ電極に走査パルスが印加されてアドレス放電が行なわれる。Ｘ電極に着目すると、走査パルスが印加されたＹ電極と対となり表示ラインを構成するＸ電極には電圧Ｖｘが印加されてアドレス放電が実施される。一方非表示ラインを構成するＸ電極には−Ｖｕｘからなる電圧が印加されており、Ｙ電極との電位差を小さくして非表示ラインにアドレス放電が生じることを防止している。
【０００６】
次に、維持放電（サスティン）期間において、Ｘ電極およびＹ電極に交互に維持パルスが印加され、アドレス期間においてアドレス放電が行なわれたセルにおいて維持放電が繰り返され、画像データの表示がなされる。
【特許文献１】特許３４２４５８７号公報
【発明の開示】
【発明が解決しようとする課題】
【０００７】
しかしながら、上記の電圧Ｖｅｘからなるパルスの如く、リセット期間において壁電荷量を調整するパルスの到達電圧値がプラズマディスプレイパネル等の表示パネルの発光負荷数に応じて変動することが見いだされている。かかる壁電荷量の変動は、アドレス期間における選択放電のマージンを変動させるため、引き続くアドレス期間における選択放電に際して誤放電が生じる危険がある。
【０００８】
本発明が解決しようとする課題には、上記の問題が一例として挙げられ、選択放電のためのアドレス期間で生じるおそれのある誤放電を回避するプラズマディスプレイパネルの駆動方法を提供することが本発明の目的である。
【課題を解決するための手段】
【０００９】
本発明によるプラズマディスプレイパネルの駆動方法は、各々が対をなす第１行電極及び第２行電極からなる複数の行電極対と、該行電極対に交差して配列された複数の列電極とを備え、該行電極対と該列電極との各交差部位に表示セルが形成されたプラズマディスプレイパネルを、映像信号の１フィールドの表示期間を複数のサブフィールドで構成すると共に該１フィールドの表示期間内における先頭のサブフィールドのアドレス期間に先立ってリセット期間を設けて階調表示を行うプラズマディスプレイパネルの駆動方法であり、１フィールド前の該映像信号に応じてプラズマディスプレイパネルの発光負荷状態を検出する発光負荷状態検出行程と、該リセット期間において、時間経過に従って印加電圧値が増大し所定の到達電位に到達する第１極性のパルスを該第１行電極に印加する第１行程と、を有し、該第１行程は該発光負荷状態に応じて該第１極性パルスの到達電位を制御する行程を含むことを特徴とする。
【発明を実施するための最良の形態】
【００１０】
本発明の実施例について添付の図面を参照しつつ詳細に説明する。
＜実施例１＞
図２は、本発明の実施例であり、本発明による表示パネル駆動方法が適用される表示パネルの構成例を示している。ここで、表示パネルすなわちＰＤＰ１０には、Ｘ及びＹの１対にて１画面の各表示ライン（ｎ個の行）に対応した行電極対を為す第１行電極であるＹ行電極Ｙ１〜Ｙｎ及び第２行電極であるＸ行電極Ｘ１〜Ｘｎと、該行電極対に直交しかつ誘電体層及び放電空間を挟んで１画面の各列（ｍ個の列）に対応する列電極Ａ１〜Ａｍとが形成され、１対の行電極対（Ｘ行電極及びＹ行電極）と１つの列電極Ｄとの交差部位に、容量性発光素子である表示セルが形成されている。
【００１１】
Ａ／Ｄ変換器６０は、入力される映像信号をサンプリングしてこれを各画素に対応した例えば８ビットの画素データに変換し、これを発光負荷状態検出部８０と画素駆動データ生成部７０とに供給する。画素駆動データ生成部７０は、画素データに対して多階調化処理を施した後、ＰＤＰ１０の各表示セルを各サブフィールド毎に発光放電セル又は非発光放電セルのいずれか一方に設定すべき画素駆動データに変換して１画面分の画素駆動データを生成し、後述するサブフィールド毎のアドレス行程Ｗｃにおいて１画面分の画素駆動データのうちから１表示ライン分ずつアドレスドライバ２０に供給する。アドレスドライバ２０は、画素駆動データを画素データパルスに変換し、これを１表示ライン毎に上記列電極Ａ１〜Ａｍに印加する。
【００１２】
発光負荷状態検出部８０は、Ａ／Ｄ変換器６０から供給された画素データから、プラズマディスプレイパネルの発光負荷状態を検知し、これを駆動制御部５０に供給する。例えば、対象となる先頭サブフィールドの前のフィールドに対するサスティン期間で維持放電したセル数を発光負荷状態として検知する。また、発光負荷状態は、輝度ヒストグラムや平均輝度レベルから検知されても良い。
【００１３】
駆動制御部５０は、Ａ／Ｄ変換器６０から供給された画素データから、発光駆動シーケンスに従ってＰＤＰ１０を階調駆動させるべき各種タイミング信号を生成し、これらをＹ行電極ドライバ４０及びＸ行電極ドライバ３０に供給する。駆動制御部５０は、また、発光負荷状態検出部８０から供給された発光負荷状態に応じて壁電荷調整パルスの印加時間長を調整する。
【００１４】
Ｘ行電極ドライバ３０及びＹ行電極ドライバ４０は、リセット期間において各放電セルの残留壁電荷量を初期化する為のリセットパルスや壁電荷調整パルスと、維持放電期間において発光放電セルの放電発光状態を維持させる為のサスティンパルスとを発生し、これらをＸ行電極Ｘ１〜Ｘｎ及びＹ行電極Ｙ１〜Ｙｎの各々に対応して印加する。また、Ｙ行電極ドライバ４０は、アドレス期間において各放電セルに対し画素データパルスに応じた電荷量を形成せしめて発光放電セル又は非発光放電セルの設定を行う為の走査パルスを発生する。
【００１５】
図３は、１フィールドのサブフィールド構成を示している。ＰＤＰ１０に供給される映像信号は、画素データにより表示される１画面を１つのフレームまたはフィールドとして構成している。図示されるように、１フィールドの表示期間内は、複数のサブフィールドＳＦ１〜ＳＦ（Ｎ）（Ｎは正数）で構成され、サブフィールドＳＦ１〜ＳＦ（Ｎ）の各々の期間は、アドレス期間Ｗｃとサスティン期間Ｉｃとを含む。リセット期間Ｒｃが、通常、１フィールドの表示期間内の先頭のサブフィールドＳＦ１のアドレス期間Ｗｃに先立って設けられる。シーケンスによっては、リセット期間Ｒｃがそれ以降の少なくとも１のサブフィールドにおいてもアドレス期間Ｗｃに先立って設けられても良い。
【００１６】
図４〜図６は、実施例１における表示パネル駆動方法を説明している。図４を参照すると、実施例１における駆動期間にわたる波形が示されている。該波形は、１フィールドの先頭のサブフィールドＳＦ１についてのみ全面書込み及び全面消去をなすリセット期間Ｒｃと、選択書込みアドレス期間Ｗｃ及びサスティン期間Ｉｃで構成したシーケンスが適用された例である。
【００１７】
先ず、１フィールド前の映像信号に応じてプラズマディスプレイパネルの発光負荷状態を検出する（発光負荷状態検出行程）。発光負荷状態として、１フィールド前における表示セルのうちで発光放電セルに設定された表示セルの数が検出される。
【００１８】
次に、Ｙ行電極ドライバは、該映像信号の１フィールドを構成する先頭のサブフィールドＳＦ１のアドレス期間Ｗｃの直前のリセット期間Ｒｃの前半Ｒｃ１において、時間経過に従って振幅電圧値が正極性側に大となるリセットパルスＲＰy1をＹ行電極に印加すると共に、Ｘ行電極ドライバは、Ｘ行電極に負極性のパルスＲＰx2を印加してＸ行電極−Ｙ行電極間で全面書込み放電を生じさせ、全セルに壁電荷を形成する（第１行程）。
【００１９】
次に、Ｙ行電極ドライバは、該リセットパルスＲＰy1とは反対極性の負極性であり、且つ、該リセット期間Ｒｃの後半Ｒｃ２において時間経過に従って振幅電圧値が負極性側に大となる壁電荷調整パルスＲＰy2を該Ｙ行電極に印加してＸ行電極−Ｙ行電極間で放電を生じせしめる。このとき、壁電荷調整パルスＲＰy2の印加により生じるＹ行電極の到達電位−ＶRPy2を、該表示パネルの発光負荷状態に応じて調整する（第２行程）。これにより、Ｘ行電極−Ｙ行電極間で全面消去放電が生じ、形成された壁電荷が消去される。
【００２０】
次いで、アドレス期間Ｗｃにおいて、Ｙ行電極ドライバは、走査ベースパルスＳＢＰをＹ行電極に印加してＹ行電極の電位を−ＶSBPとする。次いで、列電極に印加される画像データパルスに従って走査パルスＳＰをＹ行電極に印加してＹ行電極の電位を−ＶSPとする。次いで、サスティン期間Ｉｃにおいて、Ｙ行電極ドライバは、サスティンパルスＩＰをＹ行電極に印加して、画像表示をなさしめる。
【００２１】
図５を参照すると、発光負荷量が比較的大きい場合の波形が示されている。発光負荷量が比較的大きいとき、（Ａ）に示すように、壁電荷調整パルスＲＰy2の到達電位−ＶＲＰｙ２が最適到達電位−Ｖeyより若干大きくなる。その結果として、壁電荷の削り量が若干多めになる。そこで、（Ｂ）に示すように、壁電荷調整パルスＲＰy2の印加期間を少し短めにすることにより、到達電位−ＶＲＰy2が最適到達電位−Ｖeyに調整され、壁電荷の削り量が最適値に調整される。
【００２２】
ここで、発光負荷量が大きいときとは、１ラインの表示ラインに属する表示セルの多数が発光状態となっている場合の如く、前フィールドでの発光負荷量が多い場合である。かかる場合では、列電極と行電極Ｙとの電位差が大となるような壁電荷状態の表示セル数が多い状態にある。そのような状態で、時間経過と共に印加電圧が増大する負極性のパルスを印加すると多数のセルにおいて放電が生じ、全体として放電電流が大きくなり波形が歪むことになる。その結果として、到達電位−ＶRPy2が最適到達電位−Ｖeyに比して小さくなるため、壁電荷の削り量が不十分となる。そこで、このような前フィールドでの発光負荷数が多い場合には、負極性のパルスの印加期間を長くして到達電位−ＶRPy2を最適到達電位−Ｖeyに近づける。これにより、壁電荷量が最適値に調整される。
【００２３】
図６を参照すると、発光負荷量が比較的小さい場合の波形が示されている。発光負荷量が比較的少ないとき、（Ａ）に示すように、壁電荷調整パルスＲＰy2の到達電位−ＶRPy2が最適到達電位−Ｖeyよりかなり大きく、壁電荷の削り量がかなり大きくなる。そこで、（Ｂ）に示すように壁電荷調整パルスＲＰy2の印加期間を更に短めにすることにより、到達電位−ＶRPy2が最適到達電位−Ｖeyに調整され、壁電荷の削り量が最適値に調整される。
【００２４】
ここで、発光負荷量が小さいときとは、１ラインの表示ラインに属する表示セルの少数が発光状態となっている場合の如く、前フィールドでの発光負荷数が少ない場合である。かかる場合では、列電極と行電極Ｙとの電位差が大となるような壁電荷状態の表示セル数が少ない状況にある。そのような状態で、時間経過と共に印加電圧が増大する負極性のパルスを印加すると、少数のセルにおいて放電が生じる。この場合、放電電流が比較的小さく、波形歪みも少ない。その結果として、到達電位−ＶRPy2が最適到達電位−Ｖeyに比して大きくなるため、壁電荷の削り量が大きくなりすぎる。そこで、このような前フィールドでの発光負荷数が少ない場合には、第１極性のパルスの印加期間を短くして到達電位−ＶRPy2を最適到達電位−Ｖeyに近づける。これにより、壁電荷量が最適値に調整される。
【００２５】
以上のように、負極性の壁電荷調整パルスＲＰy2の到達電位−ＶRPy2は、発光負荷により、変動するが、発光負荷状態を検出し、それに応じて壁電荷調整パルスＲＰy2の印加時間を調整して、到達電位−ＶRPy2が最適到達電位−Ｖeyになるように制御がなされる。
＜実施例２＞
図７〜図９は、実施例２による表示パネル駆動方法を説明している。図７を参照すると、実施例２における駆動期間にわたる波形が示されている。ここで、１フィールドの先頭のサブフィールドＳＦ１について、リセット期間Ｒｃ、選択書込みアドレス期間Ｗｃ、サスティン期間Ｉｃで構成したシーケンスが適用された例であり、実施例１におけるシーケンスから全面書込み期間をなくしたシーケンスが適用された例である。
【００２６】
先ず、１フィールド前の映像信号に応じてプラズマディスプレイパネルの発光負荷状態を検出する（発光負荷状態検出行程）。発光負荷状態として、１フィールド前における表示セルのうちで発光放電セルに設定された表示セルの数が検出される。
【００２７】
次に、Ｙ行電極ドライバは、該映像信号の１フィールドを構成する先頭のサブフィールドＳＦ１のアドレス期間Ｗｃの直前のリセット期間Ｒｃにおいて、時間経過に従って振幅電圧値が大となる壁電荷調整パルスＲＰy2を該Ｙ行電極に印加してＸ行電極−Ｙ行電極間で放電を生じせしめる。このとき、壁電荷調整パルスＲＰy2の印加により生じるＹ行電極の到達電位−ＶRPy2を、表示パネルの発光負荷状態に応じて調整する（第２行程）。
【００２８】
次いで、アドレス期間Ｗｃにおいて、Ｙ行電極ドライバは、走査ベースパルスＳＢＰをＹ行電極に印加してＹ行電極の電位を−ＶSBPとする。次いで、列電極に印加される画像データパルスに従って走査パルスＳＰをＹ行電極に印加してＹ行電極の電位を−ＶSPとする。次いで、サスティン期間Ｉｃにおいて、Ｙ行電極ドライバは、サスティンパルスＩＰをＹ行電極に印加して、画像表示をなさしめる。
【００２９】
図８を参照すると、発光負荷量が比較的大きい場合の波形が示されている。発光負荷量が比較的大きいとき、（Ａ）に示すように、パルスの到達電位−ＶRPy2が最適到達電位−Ｖeyより若干大きく、壁電荷の削り量が若干多めになる。そこで、（Ｂ）に示すように壁電荷調整パルスＲＰy2の印加期間を少し短めにすることで到達電位−ＶRPy2を最適到達電位−Ｖeyに調整し、壁電荷の削り量を最適値に調整する。
【００３０】
図９を参照すると、発光負荷量が比較的小さい場合の波形が示されている。発光負荷量が比較的少ないとき、（Ａ）に示すように、壁電荷調整パルスＲＰy2の到達電位−ＶRPy2が最適到達電位−Ｖeyよりかなり大きくなる。結果として、壁電荷の削り量がかなり大きくなる。そこで、（Ｂ）に示すように壁電荷調整パルスＲＰy2の印加期間を更に短めにすることで、到達電位−ＶRPy2を最適到達電位−Ｖeyに調整し、壁電荷の削り量を最適値に調整する。
＜実施例３＞
図１０及び図１１は、実施例３における表示パネル駆動方法を説明している。
【００３１】
図１０を参照すると、１フィールドの先頭のサブフィールドＳＦ１についてのみ全面書込み及び全面消去をなすリセット期間Ｒｃと、選択書込みアドレス期間Ｗｃ及びサスティン期間Ｉｃで構成したシーケンスからなる実施例１の構成において、時間経過に従って振幅電圧値が大となり所定の到達電位に到達する負極性のパルスＲＰy2を行電極Ｙに印加している期間、行電極Ｘに正極性のパルスＲＰx2を印加する構成が示されている。
【００３２】
先ず、１フィールド前の映像信号に応じてプラズマディスプレイパネルの発光負荷状態を検出する（発光負荷状態検出行程）。発光負荷状態として、１フィールド前における表示セルのうちで発光放電セルに設定された表示セルの数が検出される。
【００３３】
次に、Ｙ行電極ドライバは、該映像信号の１フィールドを構成する先頭のサブフィールドＳＦ１のアドレス期間Ｗｃの直前のリセット期間Ｒｃの前半Ｒｃ１において、時間経過に従って振幅電圧値が正極性側に大となるリセットパルスＲＰy1をＹ行電極に印加して、Ｘ行電極−Ｙ行電極間で全面書込み放電を生じさせ、全セルに壁電荷を形成する（第１行程）。
【００３４】
次に、Ｙ行電極ドライバは、該リセットパルスとは反対極性の負極性であり、且つ、該リセット期間Ｒｃの後半Ｒｃ２において時間経過に従って振幅電圧値が負極性側に大となる壁電荷調整パルスＲＰy2を該Ｙ行電極に印加してＸ行電極−Ｙ行電極間で放電を生じせしめる。このとき、壁電荷調整パルスＲＰy2の印加により生じるＹ行電極の到達電位−ＶRPy2を、該表示パネルの発光負荷状態に応じて調整すると共に、並行して行電極Ｘに正極性のパルスＲＰx2を印加している。
【００３５】
これにより、Ｘ行電極−Ｙ行電極間で全面消去放電が生じ、形成された壁電荷が消去される。次いで、アドレス期間Ｗｃにおいて、Ｙ行電極ドライバは走査パルスＳＰをＹ行電極に印加する。走査パルスＳＰは、列電極に印加される画像データパルスに従ってＹ行電極に印加される。次いで、サスティン期間Ｉｃにおいて、サスティンパルスＩＰが印加されて画像の表示がなされる。
【００３６】
図１１を参照すると、１フィールドの先頭のサブフィールドＳＦ１についてのみ全面書込み及び全面消去をなすリセット期間Ｒｃと、選択書込みアドレス期間Ｗｃ及びサスティン期間Ｉｃで構成したシーケンスからなる実施例１の構成において、時間経過に従って印加電圧値が増大し所定の到達電位に到達する正極性のパルスＲＰy1を行電極Ｙに印加している期間、行電極Ｘに正極性のパルスＲＰx1を印加する構成が示されている。
【００３７】
先ず、１フィールド前の映像信号に応じてプラズマディスプレイパネルの発光負荷状態を検出する（発光負荷状態検出行程）。発光負荷状態として、１フィールド前における表示セルのうちで発光放電セルに設定された表示セルの数が検出される。
【００３８】
次に、Ｙ行電極ドライバは、該映像信号の１フィールドを構成する先頭のサブフィールドＳＦ１のアドレス期間Ｗｃの直前のリセット期間Ｒｃの前半Ｒｃ１において、時間経過に従って振幅電圧値が正極性側に大となるリセットパルスＲＰy1をＹ行電極に印加すると共に、Ｘ行電極ドライバが行電極Ｘに正極性のパルスＲＰx1を印加する。これにより、Ａ行電極−Ｙ行電極間で全面書込み放電（対向放電）を生じさせ、全セルに壁電荷を形成する（第１行程）。
【００３９】
次に、Ｙ行電極ドライバは、該リセットパルスとは反対極性の負極性であり、且つ、該リセット期間Ｒｃの後半Ｒｃ２において時間経過に従って振幅電圧値が負極性側に大となる壁電荷調整パルスＲＰy2を該Ｙ行電極に印加してＸ行電極−Ｙ行電極間で放電を生じせしめる。このとき、壁電荷調整パルスＲＰy2の印加により生じるＹ行電極の到達電位−ＶRPy2を、該表示パネルの発光負荷状態に応じて調整する。
【００４０】
これにより、Ｘ行電極−Ｙ行電極間で全面消去放電が生じ、形成された壁電荷が消去される。次いで、アドレス期間Ｗｃにおいて、Ｙ行電極ドライバは走査パルスＳＰをＹ行電極に印加する。走査パルスＳＰは、列電極に印加される画像データパルスに従ってＹ行電極に印加される。次いで、サスティン期間Ｉｃにおいて、サスティンパルスＩＰが印加されて画像の表示がなされる。
【００４１】
以上の図１０及び図１１に示されたように、Ｘ行電極に印加する波形を異ならせた場合においても、アドレス期間直前に印加される時間経過に従って印加電圧値が増大し所定の到達電位に到達する負極性のパルスの到達電位を前フィールドの発光負荷状態に応じて調整することにより、実施例１と同様の作用を奏することできる。
【００４２】
以上の複数の実施例から明らかなように、本発明による表示パネル駆動方法を適用することにより、選択放電のためのアドレス期間Ｗｃで生じるおそれのある誤放電を回避することができる。
【図面の簡単な説明】
【００４３】
【図１】従来の表示パネル駆動方法のリセット期間における波形を示す図である。
【図２】本発明の実施例であり、本発明による表示パネル駆動方法が適用される表示パネルの構成例を示す図である。
【図３】１フィールドのサブフィールド構成を示す図である。
【図４】実施例１における駆動期間にわたる波形を示す図である。
【図５】実施例１において発光負荷量が比較的大きい場合の波形を示す図である。
【図６】実施例１において発光負荷量が比較的小さい場合の波形を示す図である。
【図７】実施例２における駆動期間にわたる波形を示す図である。
【図８】実施例２において発光負荷量が比較的大きい場合の波形を示す図である。
【図９】実施例２において発光負荷量が比較的小さい場合の波形を示す図である。
【図１０】実施例３における駆動期間にわたる波形を示す図である。
【図１１】実施例３における駆動期間にわたる他の波形を示す図である。
【符号の説明】
【００４４】
１０  ＰＤＰ
２０  アドレスドライバ
３０  Ｘ行電極ドライバ
４０  Ｙ行電極ドライバ
５０  駆動制御部
６０  Ａ／Ｄ変換部
７０  画素駆動データ生成部
８０  発光負荷状態検出部
【図１】
2007328036.tif 000003
【図２】
2007328036.tif 000004
【図３】
2007328036.tif 000005
【図４】
2007328036.tif 000006
【図５】
2007328036.tif 000007
【図６】
2007328036.tif 000008
【図７】
2007328036.tif 000009
【図８】
2007328036.tif 000010
【図９】
2007328036.tif 000011
【図１０】
2007328036.tif 000012
【図１１】
2007328036.tif 000013